(57)【要約】【課題】  身近にある紙、布、又は不織布製の化学雑巾などに切れ目を入れたり、縮めたり、絞ったり、縛ったり等の加工を施し、柄の先に設けたクリップで挟んで穂先交換式とする掃除具を提供することを目的とする。【解決手段】  柄１の先に設けたクリップ３で紙、布、又は化学雑巾などをリボン状に加工した穂先４を挟むようにしたものであって、前記クリップ３が洗濯バサミのようなバネクリップであり、柄の先に設けたコ字状の枠体２に複数個連結して取り付けた。また前記穂先４が化学雑巾などの中央部４ａを残し両側から多数の切込み５を入れた後、該中央４ａ部分を縮めて絞り、その上部を縛ってクリップ３で挟む球部６を作るようにし、この球部６を柄１の先に真直ぐ上に向けて取り付けたクリップ３で挟み込むようにした。【選択図】  図１
0003114040.tif 000002
【実用新案登録請求の範囲】
【請求項１】
柄１の先に設けたクリップ３で紙、布、または化学雑巾などをリボン状に加工した穂先４を挟むようにした穂先交換式掃除具。
【請求項２】
前記クリップ３が洗濯バサミのようなバネクリップであり、柄の先に設けたコ字状の枠体２に複数個連結して取り付けた請求項１記載の穂先交換式掃除具。
【請求項３】
前記穂先４が化学雑巾などの中央部４ａを残し両側から多数の切込み５を入れた後、該中央４ａ部分を縮めて絞り、その上部を縛ってクリップ３で挟む球部６を作るようにした請求項１記載の穂先交換式掃除具。
【請求項４】
前記球部６を柄１の先に真直ぐ上に向けて取り付けたクリップ３で挟み込むようにした請求項３記載の穂先交換式掃除具。
る請求項１記載の穂先交換式掃除具。
【請求項５】
前記穂先４が化学雑巾などの上部を残し下から多数の切込み５を入れた後、上部を帯状に縮めたものであり、この帯部７を大きな１個のクリップ８で挟み込むようにした請求項１記載の穂先交換式掃除具。
【請求項６】
前記クリップ３が柄１の先に直交して設けられている請求項１記載の穂先交換式掃除具。
【考案の詳細な説明】
【技術分野】
【０００１】
本考案は、柄の先にクリップを装着し、そのクリップにホーキ、ハタキ、クリーナーハンド等の穂先を挟み込むようにした穂先交換式の掃除用具に関する。
【背景技術】
【０００２】
市販されている不織布製の化学雑巾をハタキ状とし、柄の先に取り付け交換式とするものが種々提案されている。例えば特許文献１のものは、かぎ状とした先端に化学雑巾製のハタキのように加工して取り付けたものであり、特許文献２のものは、吸着剤をつけた柔らかい紙で形成したハタキを柄の先に取り付け、キャップでハタキの根元を押さえ込むようにしたものである。また特許文献３のものは、化学雑巾の中央部を残して両側から切込みを入れて中央部で折畳み、柄の先端に着脱自在に取り付けたものである。特許文献４のものは、化学雑巾に切込みを入れハタキ状としたものを柄の先端に取り付け交換式にしたものを開示する。
【特許文献１】実開平１―１５７６５７号
【特許文献２】実登３０２７４５２号
【特許文献３】実登３０３９５９８号
【特許文献４】実登３０９９０９８号
【考案の開示】
【考案が解決しようとする課題】
【０００３】
本考案は、身近にある紙、布、又は不織布製の化学雑巾に切れ目を入れて縮めたり、絞ったり、縛ったり等の加工を施し、柄の先に設けたクリップで挟んで穂先交換式とする掃除具を提供することを目的とする。
【課題を解決するための手段】
【０００４】
本考案の穂先交換式掃除具は、請求項１記載のように柄１の先に設けたクリップ３で紙、布、または化学雑巾などをリボン状に加工した穂先４を挟むようにしたものであって、請求項２記載のように前記クリップ３が洗濯バサミのようなバネクリップであり、柄の先に設けたコ字状の枠体２に複数個連結して取り付けたものである。
【０００５】
また請求項３記載のように前記穂先４が化学雑巾などの中央部４ａを残し両側から多数の切込み５を入れた後、該中央４ａ部分を縮めて絞り、その上部を縛ってクリップ３で挟む球部６を作るようにしたものであって、請求項４記載のように前記球部６を柄１の先に真直ぐ上に向けて取り付けたクリップ３で挟み込むようにした。
【０００６】
また請求項５記載のように前記穂先４が化学雑巾などの上部を残し下から多数の切込み５を入れた後、上部を帯状に縮めたものであり、この帯部７を大きな１個のクリップ８で挟み込むようにした。さらに請求項６記載のように前記クリップ３が柄１の先に直交させて設けられていることなどを特徴としている。
【考案の効果】
【０００７】
身近にある紙、布、又は不織布製の化学雑巾などに切込みを入れて、縮めたり、絞ったりすることでリボン状の穂先が他方向に分散し、縛ることにより扇状に広がり効果的に使用できる。また取り付ける穂先をバネクリップで挟んで簡単に代えられるようにしたので多用途の利用ができる。
【０００８】
交換用の穂先として身近にある紙、布、又は不織布製の化学雑巾を用いるので容易に手に入り、汚れれば何時でも交換すれば良いので経済的である。使い捨てなのできれいなうちは、家具、柱、高い所等ほこりを取る程度の場所に用い、捨てる前は、汚れた所を主に例えば、カーテンレールの上や網戸等を掃除する。穂先の脱着もクリップを摘むだけで簡単である。
【０００９】
実施例４のクリーナーハンドの場合、柄にクリップを直交して設けたので汚れ拭き作業がし易すく手も汚れない。化学雑巾は勿論、クリップに取り付ける物をスポンジ、モップなど家庭にあるものをクリップに挟んで使用することもできる。柄に取り付けたので高い所は踏み台もいらず、窓ガラスの外側、特に二階のベランダの無い窓ガラスの外側などは便利で、台所の高い所や正面のタイル等腰を伸ばしたり、突っ張ったりが無く、車の屋根等も簡単に楽に拭けるのでひとつあると大変便利である。
【考案を実施するための最良の形態】
【００１０】
本考案の穂先交換式掃除具は、身近にある紙、布、又は不織布製の化学雑巾などをリボン状に加工して柄の先に設けた洗濯バサミのようなクリップで挟むようにしたものであるから素材が容易に手に入り、加工も簡単で安価である。
【実施例１】
【００１１】
本考案の実施例を以下図面に基づき説明する。図１に示すように実施例１の穂先交換式掃除具は、柄１の先に設けたコ字状の枠体２にクリップ３を設け、このクリップ３に身近にある紙、布、又は不織布製の化学雑巾などをホーキのようにリボン状に裁断した穂先４をそれぞれ挟んだものである。コ字状の枠体２には図２のように洗濯バサミのような３個のクリップ３が連結して取り付けられており、このクリップ３の表側は図２のように個別に分かれているが、裏側は図３のようにクリップ３が一体的に連結しており、その両端がコ字状の枠体２に連結している。そしてこの穂先４は図４に示すように不織布製の化学雑巾を加工して用いるものであって、その中央部４ａを残し両側から切込み５を入れてリボン状にし、図５のように中央４ａ部分を縮めて絞り、絞り込んだ中央部分を折り込んで下側を扇状に広げ、上部を縛ってバネクリップで挟む球部６を作るようにした（図６）。そしてこの球部６を図７のように３個のクリップ３に挟むとホーキのような末広がりの穂先４を３個並べて柄の先に取り付けることが出来る。
【実施例２】
【００１２】
実施例２のものは、図８のように幅広な１個のクリップ８を柄の先に取り付けたホーキの事例である。この場合、穂先４は図９のように不織布製の化学雑巾の上部を残し、下から切込み５を入れ多数のリボン状にする。図１０は上部に糸で縫い目を入れ、糸を引っ張り縮めて絞った状態である。この帯状に縮めた帯部７を１個の大きなクリップ８で挟み込んで使用する。
【実施例３】
【００１３】
実施例３のものは、ハタキとして使用する場合であって、図１１に示すように柄１の先にクリップ３を真直ぐ上に向けて装着した。そして実施例１の穂先４をこのクリップに装着すればハタキとして利用することができる。
【実施例４】
【００１４】
実施例４のものは、図１２のように柄１の先にクリップ３を直交させて設けたものである。そして実施例１の扇状に広がった穂先４が柄１に対し直交して取り付けられているので汚れた個所の清掃に用いる市販のクリーナーハンドのように使用することが出来る。柄１の先に取り付けた化学雑巾からなる穂先４を用いれば油で汚れたタイル壁や床面、便器などを拭くのに用いれば手が汚れることも無い。さらに取替えがクリップで自在に行えるのでスポンジクリーナー、たわしクリーナー、そしてモップクリーナーとしても使える。
【産業上の利用可能性】
【００１５】
化学雑巾は、ほとんどがそのまま販売されているが、本考案のようにリボン状に加工した化学雑巾を柄の先に設けたクリップに交換自在に取り付けるようにすれば化学雑巾の多用途利用が可能となる。また古紙なども化学雑巾と同様の加工を施せば使い捨て紙雑巾として使用できる。
【図面の簡単な説明】
【００１６】
【図１】実施例１の化学雑巾を用いた穂先交換式掃除具である。
【図２】図１の要部拡大図である。(実施例１)
【図３】図２の背面図である。(実施例１)
【図４】化学雑巾の裁断図である。(実施例１)
【図５】化学雑巾の加工図である。(実施例１)
【図６】扇状に広げた加工後の化学雑巾である。(実施例１)
【図７】化学雑巾をクリップに挟む状態図である。(実施例１)
【図８】実施例２の化学雑巾を用いた穂先交換式掃除具である。
【図９】化学雑巾の裁断図である。(実施例２)
【図１０】化学雑巾の加工図である。(実施例２)
【図１１】実施例３の化学雑巾を用いた穂先交換式掃除具である。
【図１２】実施例４の化学雑巾を用いた穂先交換式掃除具である。
【符号の説明】
【００１７】
１  柄
２  枠体
３  クリップ
４  穂先
５  切込み
６  球部
７  帯部
８  大きなクリップ
【図１】
0003114040.tif 000003
【図２】
0003114040.tif 000004
【図３】
0003114040.tif 000005
【図４】
0003114040.tif 000006
【図５】
0003114040.tif 000007
【図６】
0003114040.tif 000008
【図７】
0003114040.tif 000009
【図８】
0003114040.tif 000010
【図９】
0003114040.tif 000011
【図１０】
0003114040.tif 000012
【図１１】
0003114040.tif 000013
【図１２】
0003114040.tif 000014
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
柄（１）の先に設けたクリップ（３）で紙、布、または化学雑巾などをリボン状に加工した穂先（４）を挟むようにした穂先交換式掃除具。
【請求項２】
前記クリップ（３）が洗濯バサミのようなバネクリップであり、柄の先に設けたコ字状の枠体（２）に複数個連結して取り付けた請求項１記載の穂先交換式掃除具。
【請求項３】
前記穂先（４）が化学雑巾などの中央部（４ａ）を残し両側から多数の切込み（５）を入れた後、該中央（４ａ）部分を縮めて絞り、その上部を縛ってクリップ（３）で挟む球部（６）を作るようにした請求項１記載の穂先交換式掃除具。
【請求項４】
前記球部（６）を柄（１）の先に真直ぐ上に向けて取り付けたクリップ（３）で挟み込むようにした請求項３記載の穂先交換式掃除具。
【請求項５】
前記穂先（４）が化学雑巾などの上部を残し下から多数の切込み（５）を入れた後、上部を帯状に縮めたものであり、この帯部（７）を大きな１個のクリップ（８）で挟み込むようにした請求項１記載の穂先交換式掃除具。
【請求項６】
前記クリップ（３）が柄（１）の先に直交して設けられている請求項１記載の穂先交換式掃除具。